【手続補正書】
【提出日】平成24年2月20日(2012.2.20)
【手続補正１】
【補正対象書類名】特許請求の範囲
【補正対象項目名】全文
【補正方法】変更
【補正の内容】
【特許請求の範囲】
【請求項１】
誘導電源システムであって，
１次回路及び無線で電力を転送するための１次コイルを含む誘導電源装置と，
前記誘導電源装置とは別個の遠隔デバイスであって，前記誘導電源装置から無線で電力を受電するための２次コイルと，あるバッテリ種別のバッテリと，前記バッテリ種別を示す前記バッテリの特性を検出するバッテリ特性検出システムを含む２次回路と，を含む遠隔デバイスと，
前記誘導電源装置及び前記遠隔デバイスの少なくとも一つに配置され，複数の無線電力充電アルゴリズムを記憶するメモリと，
前記遠隔デバイスと前記誘導電源装置との間の無線通信用の通信システムと，
前記誘導電源装置及び前記遠隔デバイスの少なくとも一つに配置され，前記メモリと通信するようにした制御器であって，前記バッテリ種別を示す前記の検出されたバッテリ特性を少なくとも部分的に用いて，前記メモリ内の前記複数の無線電力充電アルゴリズムから一つの無線電力充電アルゴリズムを選択するようにプログラムされた制御器と，
を備え，
前記１次コイルは，前記誘導電源装置から前記遠隔デバイスへ，前記の選択された無線電力充電アルゴリズムによって無線で電力を転送する誘導電源システム。
【請求項２】
前記バッテリは，別のバッテリ種別の別のバッテリと置き換え可能な請求項１に記載の誘導電源システム。
【請求項３】
前記制御器は，前記別のバッテリ種別の別のバッテリの特性を検出する前記バッテリ特性検出システムを少なくとも部分的に用いて，前記別のバッテリ用の別の無線電力充電アルゴリズムを選択する請求項２に記載の誘導電源システム。
【請求項４】
前記メモリは複数のバッテリ種別を記憶し，該バッテリ種別はそれぞれ１又は複数の無線電力充電アルゴリズムに対応する請求項１に記載の誘導電源システム。
【請求項５】
前記誘導電源装置は，
１）前記の検出されたバッテリ特性と，
２）前記制御器が前記検出されたバッテリ特性を少なくとも部分的に用いて判定し，前記遠隔デバイスから前記誘導電源装置へ伝送されたバッテリ種別と，
のうち少なくとも一つを少なくとも部分的に用いて，前記無線電力充電アルゴリズムを選択する請求項１に記載の誘導電源システム。
【請求項６】
前記遠隔デバイスは，
１）前記の検出されたバッテリ特性と，
２）前記制御器が前記の検出されたバッテリ特性を少なくとも部分的に用いて判定したバッテリ種別と，
のうち少なくとも一つを少なくとも部分的に用いて，前記無線電力充電アルゴリズムを選択する請求項１に記載の誘導電源システム。
【請求項７】
前記通信システムは，
前記２次コイルを用いて通信するための信号抵抗器及び無線送信器のうち少なくとも一つを含む，前記誘導電源装置と無線で通信する遠隔デバイス通信システムと，
前記１次コイルを用いて通信するための電流感知器及び無線受信器のうち少なくとも一つを含む，前記遠隔デバイスと無線で通信する誘導電源装置通信システムと，
を含む請求項１に記載の誘導電源システム。
【請求項８】
誘導電源装置とは別個の遠隔デバイスであって，
前記誘導電源装置から無線で電力を受電する２次コイルと，
あるバッテリ種別のバッテリと，
前記バッテリの前記バッテリ種別を示す前記バッテリの特性を検出するバッテリ特性検出システムと，
前記誘導電源装置と無線で通信する通信システムと，
複数の無線電力充電アルゴリズムを記憶したメモリと通信するようにした制御器であって，
１）前記バッテリ特性検出システムによって検出された，前記バッテリ種別を示す前記の検出されたバッテリ特性を少なくとも部分的に用いて，前記メモリ内の前記複数の無線電力充電アルゴリズムからある無線電力充電アルゴリズムを選択するステップと，
２）無線電力充電アルゴリズムを選択する際に用いるために前記誘導電源装置へ前記検出されたバッテリ特性を送信するステップと，
のうち少なくとも一つを実行するようにプログラムされた制御器と，
を備え，
前記２次コイルは，前記の選択された無線電力充電アルゴリズムによって，前記誘導電源装置から無線で電力を受電する遠隔デバイス。
【請求項９】
前記バッテリは，別のバッテリ種別の別のバッテリと置き換え可能な請求項８に記載の遠隔デバイス。
【請求項１０】
前記制御器は，前記別のバッテリ種別の別のバッテリの特性を検出する前記バッテリ特性検出システムを少なくとも部分的に用いて，前記別のバッテリ用の別の無線電力充電アルゴリズムを選択する請求項９に記載の遠隔デバイス。
【請求項１１】
前記メモリは複数のバッテリ種別を記憶し，該バッテリ種別はそれぞれ１又は複数の無線電力充電アルゴリズムに対応する請求項８に記載の遠隔デバイス。
【請求項１２】
前記通信システムは前記誘導電源装置へ，
１）前記の検出されたバッテリ特性と，
２）前記制御器が前記検出されたバッテリ特性を少なくとも部分的に用いて判定したバッテリ種別と，
のうち少なくとも一つを送信する請求項８に記載の遠隔デバイス。
【請求項１３】
前記制御器は，前記判定したバッテリ種別を少なくとも部分的に用いて前記無線電力充電アルゴリズムを選択する請求項１２に記載の遠隔デバイス。
【請求項１４】
前記通信システムは，前記誘導電源装置と無線で通信するために，前記２次コイルを用いて通信するための信号抵抗器及び無線送信器の少なくとも一つを含む請求項８に記載の遠隔デバイス。
【請求項１５】
遠隔デバイスとは別個の誘導電源装置であって，
前記遠隔デバイスへ無線で電力を転送する１次コイルと，
バッテリ種別を示す検出されたバッテリ特性を前記遠隔デバイスから受信する通信システムと，
複数の無線電力充電アルゴリズムを記憶したメモリと，
前記メモリと通信するようにした制御器であって，前記の検出されたバッテリ特性を少なくとも部分的に用いて，前記メモリ内の前記複数の無線電力充電アルゴリズムから一つの無線電力充電アルゴリズムを選択するようにプログラムされた制御器と，
を備え，
前記１次コイルは，前記の選択された無線電力充電アルゴリズムによって，前記誘導電源装置から前記遠隔デバイスへ無線で電力を転送する誘導電源装置。
【請求項１６】
前記メモリは複数のバッテリ種別を記憶し，該バッテリ種別はそれぞれ１又は複数の無線電力充電アルゴリズムに対応する請求項１５に記載の誘導電源装置。
【請求項１７】
前記通信システムは，前記遠隔デバイスと無線で通信するために，前記１次コイルを用いて通信するための電流感知器及び無線受信器の少なくとも一つを含む請求項１５に記載の誘導電源装置。
【請求項１８】
複数の異なる種別のバッテリで動作するようにした遠隔デバイスへ誘導電源装置から電力を転送する方法であって，
前記遠隔デバイスに組み込まれたバッテリの特性を検出するステップであって，前記バッテリの前記特性はバッテリ種別を示すステップと，
前記バッテリ種別を示す前記の検出されたバッテリ特性を少なくとも部分的に用いて無線電力充電アルゴリズムを選択するステップと，
前記の選択された無線電力充電アルゴリズムによって，前記誘導電源装置から前記遠隔デバイスへ無線で電力を転送するステップと，
を有する方法。
【請求項１９】
前記無線電力充電アルゴリズムを選択するステップは，前記検出されたバッテリ特性と第１しきい値とを比較するステップを含む，請求項１８に記載の方法。
【請求項２０】
前記検出されたバッテリ特性が前記第１しきい値よりも大きいとき，リチウムイオンバッテリ用の前記無線電力充電アルゴリズムが選択される，請求項１９に記載の方法。
【請求項２１】
前記検出されたバッテリ特性が前記第１しきい値と第２しきい値との間であるとき，ニッケル水素（nickel metal hydride）バッテリ用の前記無線電力充電アルゴリズムが選択される，請求項１９に記載の方法。
【請求項２２】
前記検出されたバッテリ特性が前記第１しきい値よりも小さいとき，前記バッテリは充電できないと判定する，請求項１９に記載の方法。
【請求項２３】
前記第１しきい値は，前記バッテリにあるセルの数に基づく，請求項１９に記載の方法。
【請求項２４】
前記バッテリに検定充電を行うステップを更に有し，前記検出されたバッテリ特性は前記検定充電に応答して変化し，前記複数の無線充電アルゴリズムから前記無線電力充電アルゴリズムを選択するステップは，前記検出されたバッテリ特性の前記変化に基づく，請求項１８に記載の方法。
【請求項２５】
前記制御器は，前記検出されたバッテリ特性としきい値との比較に基づいて，前記複数の無線充電アルゴリズムから前記無線電力充電アルゴリズムを選択するようにプログラムされている，請求項１に記載の誘導電源システム。
【請求項２６】
前記制御器は，前記バッテリに検定充電を行うようにプログラムされており，前記検出されたバッテリ特性は前記検定充電に応答して変化し，前記制御器は，前記検出されたバッテリ特性の前記変化に基づいて，前記複数の無線充電アルゴリズムから前記無線電力充電アルゴリズムを選択する，請求項１に記載の誘導電源システム。
【請求項２７】
前記制御器は，前記検出されたバッテリ特性と第１しきい値との比較に基づいて，前記複数の無線充電アルゴリズムから前記無線電力充電アルゴリズムを選択するようにプログラムされている，請求項１５に記載の誘導電源装置。
【請求項２８】
前記検出されたバッテリ特性が前記第１しきい値よりも大きいとき，前記制御器はリチウムイオンバッテリ用の前記無線電力充電アルゴリズムを選択する，請求項２７に記載の誘導電源装置。
【請求項２９】
前記検出されたバッテリ特性が前記第１しきい値と第２しきい値との間であることに基づいて，前記制御器はニッケル水素バッテリ用の前記無線電力充電アルゴリズムを選択する，請求項２７に記載の誘導電源装置。
【請求項３０】
前記検出されたバッテリ特性が前記第１しきい値より小さいことに基づいて，前記制御器は前記バッテリは充電できないと判定する，請求項２７に記載の誘導電源装置。
【請求項３１】
前記第１しきい値は，前記バッテリにあるセルの数に基づく，請求項２７に記載の誘導電源装置。
【請求項３２】
前記制御器は，前記バッテリに検定充電を行うようにプログラムされており，前記検出されたバッテリ特性は前記検定充電に応答して変化し，前記制御器は，前記検出されたバッテリ特性の前記変化に基づいて，前記複数の無線充電アルゴリズムから前記無線電力充電アルゴリズムを選択する，請求項１５に記載の誘導電源装置。
【請求項３３】
バッテリを充電することができる誘導電源システムであって，
無線で電力を転送するための１次回路及び１次コイルを含む誘導電源装置と，
前記誘導電源装置とは別の遠隔デバイスであって，前記誘導電源装置から無線で電力を受電する２次コイルと，前記バッテリの種別を示す前記バッテリの特性を検出するバッテリ特性検出システムを含む２次回路とを含み，前記バッテリの特性は，バッテリ電圧特性と，バッテリ電流特性と，バッテリ温度特性とのうち少なくとも一つを含む，遠隔デバイスと，
前記遠隔デバイスにあるメモリであって，複数のバッテリ充電アルゴリズムを記憶するメモリと，
前記メモリと通信するようになっており，前記遠隔デバイスにある制御器であって，前記バッテリの種別を示す前記検出されたバッテリ特性に少なくとも部分的に基づいて，前記メモリ内の前記複数のバッテリ充電アルゴリズムから一つのバッテリ充電アルゴリズムを選択するようにプログラムされている制御器と，
を備える誘導電源システム。
【請求項３４】
前記バッテリは，別のバッテリ種別の別のバッテリと置き換え可能な請求項３３に記載の誘導電源システム。
【請求項３５】
前記制御器は，前記別のバッテリ種別の別のバッテリの特性を検出する前記バッテリ特性検出システムを少なくとも部分的に用いて，前記別のバッテリ用の別の無線電力充電アルゴリズムを選択する請求項３４に記載の誘導電源システム。
【請求項３６】
前記メモリは複数のバッテリ種別を記憶し，該バッテリ種別はそれぞれ１又は複数の無線電力充電アルゴリズムに対応する請求項３３に記載の誘導電源システム。
【請求項３７】
前記誘導電源装置は，
１）前記の検出されたバッテリ特性と，
２）前記制御器が前記検出されたバッテリ特性を少なくとも部分的に用いて判定し，前記遠隔デバイスから前記誘導電源装置へ伝送されたバッテリ種別と，
のうち少なくとも一つを少なくとも部分的に用いて，前記無線電力充電アルゴリズムを選択する請求項３３に記載の誘導電源システム。
【請求項３８】
前記バッテリの前記特性は，バッテリ原理と，バッテリセルと，バッテリ容量と，バッテリサイズと，バッテリ形状と，バッテリ電圧特性と，バッテリ電流特性と，バッテリ温度特性と，バッテリ端子配置と，充放電回数と，充放電の期間と，のうち少なくとも一つを含む請求項３３に記載の誘導電源システム。
【請求項３９】
前記遠隔デバイスと前記誘導電源装置との間の無線通信のための通信システムを更に備え，該通信システムは，
前記２次コイルを用いて通信するための信号抵抗器及び無線送信器のうち少なくとも一つを含む，前記誘導電源装置と無線で通信する遠隔デバイス通信システムと，
前記１次コイルを用いて通信するための電流感知器及び無線受信器のうち少なくとも一つを含む，前記遠隔デバイスと無線で通信する誘導電源装置通信システムと，
を含む，請求項３３に記載の誘導電源システム。
【請求項４０】
誘導電源装置とは別個の遠隔デバイスであって，あるバッテリ種別のバッテリを備えることができ，
前記誘導電源装置から無線で電力を受電する２次コイルと，
前記バッテリの前記バッテリ種別を示す前記バッテリの特性を検出するバッテリ特性検出システムであって，前記バッテリの特性は，バッテリ電圧特性と，バッテリ電流特性と，バッテリ温度特性とのうち少なくとも一つを含む，バッテリ特性検出システムと，
複数の無線電力充電アルゴリズムを記憶したメモリと通信するようにした制御器であって，
１）前記バッテリ特性検出システムによって検出された，前記バッテリ種別を示す前記の検出されたバッテリ特性を少なくとも部分的に用いて，前記メモリ内の前記複数の無線電力充電アルゴリズムから一つの無線電力充電アルゴリズムを選択するステップと，
２）無線電力充電アルゴリズムを選択する際に用いるために前記誘導電源装置へ前記検出されたバッテリ特性を送信するステップと，
のうち少なくとも一つを実行するようにプログラムされた制御器と，
を備える遠隔デバイス。
【請求項４１】
前記バッテリは，別のバッテリ種別の別のバッテリと置き換え可能な請求項４０に記載の遠隔デバイス。
【請求項４２】
前記制御器は，前記別のバッテリ種別の別のバッテリの特性を検出する前記バッテリ特性検出システムを少なくとも部分的に用いて，前記別のバッテリ用の別の無線電力充電アルゴリズムを選択する，請求項４１に記載の遠隔デバイス。
【請求項４３】
前記メモリは複数のバッテリ種別を記憶し，該バッテリ種別はそれぞれ１又は複数の無線電力充電アルゴリズムに対応する請求項４０に記載の遠隔デバイス。
【請求項４４】
前記誘導電源装置と無線で通信するための通信システムを更に備え，該通信システムは，前記誘導電源へ前記遠隔デバイスへの無線電力給電を指示する情報を伝送する，請求項４０に記載の遠隔デバイス。
【請求項４５】
前記情報は，供給電力量と，動作周波数と，前記誘導電源装置の共振周波数と，のうち少なくとも一つを変更する命令を含む，請求項４４に記載の遠隔デバイス。
【請求項４６】
前記バッテリの前記特性は，バッテリ原理と，バッテリセルと，バッテリ容量と，バッテリサイズと，バッテリ形状と，バッテリ電圧特性と，バッテリ電流特性と，バッテリ温度特性と，バッテリ端子配置と，充放電回数と，充放電の期間と，のうち少なくとも一つを含む請求項４０に記載の遠隔デバイス。
【請求項４７】
前記誘導電源装置と無線で通信する前記通信システムは，前記２次コイルを用いて通信するための信号抵抗器及び無線送信器のうち少なくとも一つを含む，請求項４４に記載の遠隔デバイス。
【請求項４８】
複数の異なる種別のバッテリによって動作するようになっている遠隔デバイスを操作する方法であって，
誘導電源装置から無線電力を受電するステップと，
前記遠隔デバイスに組み込まれたバッテリの特性を検出するステップであって，前記バッテリの特性はバッテリ種別を示し，前記バッテリの特性は，バッテリ電圧特性と，バッテリ電流特性と，バッテリ温度特性とのうち少なくとも一つを含む，ステップと，
前記バッテリの種別を示す前記検出されたバッテリ特性に少なくとも部分的に基づいて，バッテリ充電アルゴリズムを選択するステップと，
前記選択されたバッテリ充電アルゴリズムに従って前記バッテリを充電するステップと，
を有する方法。
【請求項４９】
前記バッテリの前記特性は，バッテリ原理と，バッテリセルと，バッテリ容量と，バッテリサイズと，バッテリ形状と，バッテリ電圧特性と，バッテリ電流特性と，バッテリ温度特性と，バッテリ端子配置と，充放電回数と，充放電の期間と，のうち少なくとも一つを更に含む，請求項４８に記載の方法。
【請求項５０】
前記無線電力充電アルゴリズムを選択するステップは，前記検出されたバッテリ特性と第１しきい値とを比較するステップを含む，請求項４８に記載の方法。
【請求項５１】
前記検出されたバッテリ特性が前記第１しきい値よりも大きいとき，リチウムイオンバッテリ用の前記無線電力充電アルゴリズムが選択される，請求項５０に記載の方法。
【請求項５２】
前記検出されたバッテリ特性が前記第１しきい値と第２しきい値との間であるとき，ニッケル水素（nickel metal hydride）バッテリ用の前記無線電力充電アルゴリズムが選択される，請求項５０に記載の方法。
【請求項５３】
前記検出されたバッテリ特性が前記第１しきい値よりも小さいとき，前記バッテリは充電できないと判定する，請求項５０に記載の方法。
【請求項５４】
前記第１しきい値は，前記バッテリにあるセルの数に基づく，請求項５０に記載の方法。
【請求項５５】
前記バッテリに検定充電を行うステップを更に有し，前記検出されたバッテリ特性は前記検定充電に応答して変化し，前記複数の無線充電アルゴリズムから前記無線電力充電アルゴリズムを選択するステップは，前記検出されたバッテリ特性の前記変化に基づく，請求項４８に記載の方法。
【請求項５６】
前記バッテリへの電力を制御するためにバッテリ切断を行うステップを更に有する請求項４８に記載の方法。
【請求項５７】
前記充電するステップは，前記選択されたバッテリ充電アルゴリズムに従って前記バッテリへの電力を制御するステップを含む，請求項５６に記載の方法。
【請求項５８】
前記制御器は，前記検出されたバッテリ特性としきい値との比較に基づいて，前記複数の無線充電アルゴリズムから前記無線電力充電アルゴリズムを選択するようにプログラムされている，請求項４０に記載の遠隔デバイス。
【請求項５９】
前記検出されたバッテリ特性が前記第１しきい値よりも大きいとき，前記制御器はリチウムイオンバッテリ用の前記無線電力充電アルゴリズムを選択する，請求項５８に記載の遠隔デバイス。
【請求項６０】
前記検出されたバッテリ特性が前記第１しきい値と第２しきい値との間であることに基づいて，前記制御器はニッケル水素バッテリ用の前記無線電力充電アルゴリズムを選択する，請求項５８に記載の遠隔デバイス。
【請求項６１】
前記検出されたバッテリ特性が前記第１しきい値より小さいことに基づいて，前記制御器は前記バッテリは充電できないと判定する，請求項５８に記載の遠隔デバイス。
【請求項６２】
前記第１しきい値は，前記バッテリにあるセルの数に基づく，請求項５８に記載の遠隔デバイス。
【請求項６３】
前記制御器は，前記バッテリに検定充電を行うようにプログラムされており，前記検出されたバッテリ特性は前記検定充電に応答して変化し，前記制御器は，前記検出されたバッテリ特性の前記変化に基づいて，前記複数の無線充電アルゴリズムから前記無線電力充電アルゴリズムを選択する，請求項４０に記載の遠隔デバイス。
【請求項６４】
前記制御器は，前記バッテリへの電力を制御するためにバッテリ切断を行うようにプログラムされている，請求項４０に記載の遠隔デバイス。
【請求項６５】
前記制御器は，前記選択されたバッテリ充電アルゴリズムに従って前記バッテリへの電力を制御するようにプログラムされている，請求項６４に記載の遠隔デバイス。
【請求項６６】
前記バッテリ充電アルゴリズムは無線充電アルゴリズムを含む，請求項４０に記載の遠隔デバイス。
【請求項６７】
前記制御器は，前記バッテリへの電力を制御するためにバッテリ切断を行うようにプログラムされている，請求項３３に記載の誘導電源システム。
【請求項６８】
前記制御器は，前記選択されたバッテリ充電アルゴリズムに従って前記バッテリへの電力を制御するようにプログラムされている，請求項６７に記載の誘導電源システム。
【請求項６９】
前記バッテリ充電アルゴリズムは無線充電アルゴリズムを含む，請求項３３に記載の誘導電源システム。